(57)【要約】【課題】本発明は、高温高湿環境下で配線や接続端子に通電されても露出された配線部分や接続端子部分が剥離することがなく、接続不良を生じない構造の配線基板とそれを備えた電気機器とスイッチ装置の提供を目的とする。【解決手段】本発明は、脱水縮合によって合成された高分子樹脂からなる基材本体７に配線８が形成されてなり、該基材本体７の少なくとも一部に該配線８の接続端子９が露出状態で形成されるとともに、前記基材本体７において少なくとも前記接続端子９が露出された部分に下地として付加重合タイプのアンダーコート層１１が形成されてなる。【選択図】  図２
2004186473.tif 000002
【特許請求の範囲】
【請求項１】
脱水縮合によって合成された高分子樹脂からなる基材本体に配線が形成されてなり、該基材本体の少なくとも一部に該配線の接続端子が露出状態で形成されるとともに、前記接続端子の少なくとも露出状態とされた部分に対応する前記基材本体上に前記接続端子の下地として付加重合タイプの高分子樹脂からなるアンダーコート層が形成されてなることを特徴とする配線基材。
【請求項２】
脱水縮合によって合成された高分子樹脂からなる基材本体に配線が形成されてなり、前記基材本体において少なくとも前記配線が露出された部分に下地として付加重合タイプのアンダーコート層が形成されてなることを特徴とする配線基材。
【請求項３】
前記アンダーコート層が、前記接続端子または前記配線の少なくとも負極側の端子または配線の形成部分に下地として形成されてなることを特徴とする請求項１または２に記載の配線基材。
【請求項４】
前記接続端子以外の部分の配線とその周囲部分の基材本体表面が保護層で覆われてなることを特徴とする請求項１また３に記載の配線基材。
【請求項５】
前記基材本体が、ポリエチレンテレフタレート、ポリイミド、フェノール樹脂、ポリエチレンナフタレートのいずれかからなるフレキシブル基板またはリジッド基板であることを特徴とする請求項１〜４のいずれかに記載の配線基材。
【請求項６】
前記アンダーコート層が、ポリエチレン（ＰＥ）、ポリプロピレン（ＰＰ）、エチレンプロピレンターポリマー（ＥＰＤＭ）等のポリオレフィン系樹脂、ポリスチレン（ＰＳ）、ポリメチルメタアクリレート（ＰＭＭＡ）、ポリ塩化ビニル（ＰＶＣ）、エチレン酢酸ビニル（ＥＶＡ）、エチレンエチルアクリレート（ＥＡＡ）、エチレンアクリル酸、エチレンメタクリル酸、アイオノマー、エチレンビニルアルコール、ポリアクリロニトリル等の熱可塑性樹脂、あるいは、アミン硬化エポキシ樹脂等のエポキシ樹脂、不飽和ポリエステル樹脂、ビニルエステル樹脂、ジアリルフタレート樹脂などの熱硬化型高分子樹脂のいずれかからなることを特徴とする請求項１〜５のいずれかに記載の配線基材。
【請求項７】
請求項１〜６のいずれかに記載の配線基材を備えたことを特徴とする電気機器。
【請求項８】
請求項１〜６のいずれかに記載の配線基材を備えたことを特徴とするスイッチ装置。
【発明の詳細な説明】
【０００１】
【発明の属する技術分野】
本発明は、樹脂製の基板などの基材に配線が形成された配線基材であって、特に水分を有する環境下において長時間使用しても配線部分や端子部分が下地の樹脂から剥離する現象を生じないようにした技術に関する。
【０００２】
【従来の技術】
電子機器の小型化、軽量化に合わせて電子機器に搭載されている各種プリント配線基板あるいはフレキシブルプリント配線基板も小型化、軽量化が進められている。これらの配線基板が小型化されるに伴い、配線基板の端子部分の小型化も進められており、端子部配線ピッチ０．５ｍｍ程度の狭ピッチのものも使用されてきている。このような背景から従来、接続端子の高密度化を目的として、端子ピッチ間隔をずらして高密度化した構造の提案などがなされている。（特許文献１参照）
【０００３】
【特許文献１】
特開平６−１３１５４号公報
【０００４】
このような背景において本発明者らは狭ピッチ構造の端子部を有する配線基板の研究開発を進めているが、狭ピッチ構造の配線基板試料を多数製造し、それらを耐環境試験装置に収容して温度６０℃、湿度９０％の雰囲気とし、直流電圧３．２Ｖを印加して数１００時間通電したまま放置する耐環境加速試験を行ったところ、２５０時間程度の試験時間では特に問題を生じないものの、２５０時間を越えて５００時間程度以上の耐環境加速試験を続行した結果、狭ピッチ構造とした配線基板の接続端子部分において、接続部分の接触抵抗が増加し始め、試料によっては接続不良を起こすものがあることを知見した。
この耐環境加速試験に供した配線基板試料は、ＰＥＴ（ポリエチレンテレフタレート）製の細長いフレキシブル配線基板にスクリーン印刷法により銀ペースト製の線状配線を複数塗布形成し、配線基板の端部に０．５ｍｍ程度の狭ピッチで接続端子を形成するとともに、接続端子以外の部分はレジスト材料を塗布して保護層を形成してなり、接続端子部分においては保護層を除去して銀製の接続端子と基板端部表面を露出させた構造のものである。
【０００５】
【発明が解決しようとする課題】
先の耐環境加速試験結果に基づき、本発明者らが接続不良を起こした原因の分析を行った結果、接続端子部分において特に負極側の接続端子の下地となるＰＥＴ製の基板表面部分から接続端子が剥離し、接続端子が基板表面から浮き上がっていることを確認することができた。この剥離現象は以下に説明する原因によるものと理解できる。
高温高湿の耐環境加速試験雰囲気においては多量の水分が接続端子部の周囲に存在する。高温高湿環境下において多量の水分が存在し、しかも露出された接続端子部分に数Ｖ〜最大５Ｖ程度も長時間通電していると、端子部分周りの水を電気分解していることになり、接続端子部分の正極側では水素が発生し、負極側では水酸基が発生する。従って負極側の接続端子周りは水酸基によってアルカリ性となり易く、これによってＰＥＴ製の基板表層部分が加水分解されて溶解する結果として、接続端子の下地となっている部分が接続端子とともに剥離してしまうものと考えられる。
本発明者が耐環境加速試験中に配線基板試料の負極側接続端子部分の水分のＰＨテストを行ったところ、ＰＨ１３〜１４にもなっている試料が見られた。
【０００６】
ところでＰＥＴは一般に、テレフタル酸とエチレングリコールを脱水縮合することにより製造されているので、加水分解される可能性があると考えられ、この加水分解反応は、特にアルカリ環境下において高温で促進されるものと考えられる。
また、ＰＥＴ製のフレキシブル基板に限らず、フェノール樹脂製の基板、あるいはポリイミド製の基板において、あるいは、その他に脱水縮合により製造される種々の基板においても高温高湿の環境下において同様な現象が起こるものと考えられる。
【０００７】
本発明は上述の課題に鑑みてなされたもので、脱水縮合により製造される基材に配線やその接続端子が露出させて設けられた構造において、高温高湿環境下で通電されても露出された配線や接続端子が剥離することがなく、接続不良を生じない構造の配線基材とそれを備えた電気機器とスイッチ装置の提供を目的とする。
【０００８】
【課題を解決するための手段】
本発明は前述の目的を達成するために、脱水縮合によって合成された高分子樹脂からなる基材本体に配線が形成されてなり、該基材本体の少なくとも一部に該配線の接続端子が露出状態で形成されるとともに、前記接続端子の少なくとも露出状態とされた部分に対応する前記基材本体上に前記接続端子の下地として付加重合タイプの高分子樹脂からなるアンダーコート層が形成されてなることを特徴とする。
脱水縮合によって合成された高分子樹脂からなる基材本体に配線が形成されてなる構造の配線基材においては、高温高湿の環境下において通電されると、負極側で環境雰囲気中の水の電気分解により水酸基が発生し、基材表面側に露出された接続端子部分の周りはアルカリ性とされる。しかし、接続端子の周りが仮にアルカリ性とされた場合でも、付加重合されたタイプのアンダーコート層で基材本体が保護されているので、基材本体が加水分解されることはない。よって高温高湿環境下において長時間通電されても接続端子は基材本体から剥離されたり分離されることがない。
【０００９】
本発明は前述の目的を達成するために、脱水縮合によって合成された高分子樹脂からなる基材本体に配線が形成されてなり、前記基材本体において少なくとも前記配線が露出状態で形成された部分に下地として付加重合タイプのアンダーコート層が形成されてなることを特徴とする。
脱水縮合によって合成された高分子樹脂からなる基材本体に配線が部分的に露出状態で形成されてなる構造の配線基材においては、高温高湿の環境下において通電されると、配線の負極側で環境雰囲気中の水の電気分解により水酸基が発生し、基材表面側に露出された配線の周りはアルカリ環境とされる。しかし、露出状態の配線の周りが仮にアルカリ性とされた場合でも、付加重合されたタイプのアンダーコート層で基材本体が保護されているので、基材本体が加水分解されることはない。よって高温高湿環境下において長時間通電されても露出状態の配線は基材本体から剥離されたり、分離されることがない。
【００１０】
本発明は前述の目的を達成するために、前記アンダーコート層が、前記接続端子または前記配線の少なくとも負極側の端子または配線の形成部分に下地として形成されてなることを特徴とする。
水の電気分解は接続端子あるいは配線の負極側で生じ、負極側とその近接部分の水が分解されてアルカリ環境となり易いので、少なくとも負極側の接続端子あるいは配線の下地としてアンダーコート層を設けることが有効となる。
【００１１】
本発明は前述の目的を達成するために、前記接続端子以外の前記配線とその周囲部分の基材本体表面が保護層で覆われてなることを特徴とする。
接続端子以外の部分の配線とその周囲部分の基材本体表面が保護層で覆われた構造では保護層で覆われた部分の配線や基材本体表面が分解されたり剥離することはない。
【００１２】
本発明では前記基材本体として、ポリエチレンテレフタレート、ポリイミド、フェノール樹脂、ポリエチレンナフタレートのいずれかからなるものに適用できる。
これらの材料からなる基材本体であるならば、製造時に脱水反応を伴って製造されるので、高温高湿のアルカリ環境下において通電により負極側において加水分解反応が起こる可能性があり、本発明の適用に有効となる。
【００１３】
本発明では前記アンダーコート層として、ポリエチレン（ＰＥ）、ポリプロピレン（ＰＰ）、エチレンプロピレンターポリマー（ＥＰＤＭ）等のポリオレフィン系樹脂、ポリスチレン（ＰＳ）、ポリメチルメタアクリレート（ＰＭＭＡ）、ポリ塩化ビニル（ＰＶＣ）、エチレン酢酸ビニル（ＥＶＡ）、エチレンエチルアクリレート（ＥＡＡ）、エチレンアクリル酸、エチレンメタクリル酸、アイオノマー、エチレンビニルアルコール、ポリアクリロニトリル等の熱可塑性樹脂、あるいは、アミン硬化エポキシ樹脂等のエポキシ樹脂、不飽和ポリエステル樹脂、ビニルエステル樹脂、ジアリルフタレート樹脂等の熱硬化型の高分子樹脂からなるものを選定できる。
これらからなるアンダーコート層であるならば、加水分解されることがなく、またそのアンダーコート層で基材本体が保護されているので、基材本体が加水分解されることもない。よって高温高湿環境下において長時間通電されてもアンダーコート層と基材本体の両方に分解や剥離は生じないので、露出状態の配線は基材本体から剥離されたり、分離されることがない。
【００１４】
本発明では先のいずれかに記載の配線基材を備えた電気機器またはスイッチ装置を提供することができ、これらの電気機器やスイッチ装置であるならば、高温高湿の環境下で通電使用されても配線あるいは接続端子の基板本体からの剥離や分離を起こすことが無く、配線接続部分の接続不良を起こさない電気機器やスイッチ装置を提供できる。
【００１５】
【発明の実施の形態】
図１は本発明に係る第１実施形態の配線基板を備えたスイッチ装置の平面図、図２は同スイッチ装置における配線基板先端部分の要部断面図である。なお、以下の全ての図面においては、図面を見やすくするため、各構成要素の膜厚や寸法の比率などを適宜異ならせて表示してある。また、本発明が以下の実施形態に限定されるものではないのは勿論である。
【００１６】
図１は本発明の第１実施形態の配線基板を備えたスイッチ装置を示すもので、この実施形態のスイッチ装置Ａは、スイッチ本体部１と該スイッチ本体部１に接続されたフレキシブルプリント基板（可撓性の配線基材）２とを具備して構成されている。
スイッチ本体部１には本体基板３が設けられ、この本体基板３にはスライド式の第１のスイッチ部５と第２のスイッチ部６とが設けられ、前記本体基板３の裏面側にはそれらのスイッチ部５、６のスイッチ回線に接続される細長いフレキシブルプリント基板２が設けられている。このフレキシブルプリント基板２は例えば図３に示すデジタルカメラ等の電気機器Ｂの内部電気回路にスイッチ部５、６を接続するためのに、電気機器Ｂの外面の一部設けられたものである。
【００１７】
前記フレキシブルプリント基板２は、ＰＥＴ（ポリエチレンテレフタレート）製の細長い可撓性の基板本体（基材本体）７を有し、該基板本体７の表面部分にスクリーン印刷法などの印刷法により塗布形成された複数本の配線８・・・と、基板本体７の幅が狭められた先端部７ａに形成されてこれらの配線８・・・の端部に個々に接続された接続端子９・・・とを有している。更に、先の配線８・・・と接続端子９・・・の一部とそれらの周囲の基板本体７の表面を被覆してレジスト等の耐水性材料からなる保護層１０が形成され、先の基板本体７の先端部７ａ側に図２の断面に示す如く位置するようにアンダーコート層１１が形成されている。
【００１８】
前記アンダーコート層１１は、図２に示すように基板本体７の先端部７ａの表面部分と該先端部７ａの手前部分の基板本体７の端部表面７ｂを覆うようにスクリーン印刷法などの塗布法により形成されている。そして、前記複数の配線８・・・が、基板本体７の先端部７ａ近くの部分までほぼ等間隔で平行にスクリーン印刷法などの塗布法により形成され、各配線８がその先端部８ａにおいて先のアンダーコート層１１の上に所定の長さ乗り上げるように形成されている。また、これらの配線８の先端部８ａに個々に接続して乗り上がるように、かつ、前記アンダーコート層１１上に位置するように接続端子９がスクリーン印刷法などの印刷法により形成されている。この構造において接続端子９は配線８の先端部８ａ上に所定長さ乗り上がった基端部９ａを有するが、それ以外の部分はアンダーコート層１１の上に直接形成されており、アンダーコート層１１は接続端子９の下地として基材本体７の表面を覆って設けられている。
更に、前記配線８とその先端部８ａと該先端部８ａ上の接続端子９と該先端部８ａに近い部分の接続端子９の中央部９ｂと、それらの周囲部分の基板本体表面とを覆ってレジストからなる保護層１０が形成されている。従って、前記接続端子９の先端部９ｃの部分は、前記基板本体７の先端部７ａの表面側に露出されるとともに、露出された先端部９ｃにおいてはその下地としてアンダーコート層１１が形成されている。
【００１９】
前記基板本体７は、この実施形態ではＰＥＴフィルムからなるが、このＰＥＴとはテレフタル酸とエチレングリコールとを脱水重合して製造されたものである。また、基板本体７の構成材料はＰＥＴに限らず、ポリイミド、フェノール樹脂等のように脱水重合して製造された樹脂からなるものでも良い。
前記配線８は、銀、金、銅、白金あるいはこれらの合金などの良電気伝導性の金属材料からなるが、これらの中でもスクリーン印刷法により基板本体７上に容易に印刷形成可能な銀ペーストまたは銀合金ペーストからなるものが好適に利用される。
前記接続端子９は、前記配線８を構成する材料と同等のものから構成されることが一般的であるが、この実施形態では配線８を構成する材料よりも耐食性や耐マイグレーション性に優れたものを用いることが好ましい。マイグレーションとは、銀などの導電材料製の配線を狭ピッチで形成した場合、隣接する配線間に銀イオンの溶出等により銀の結晶が成長し、隣接する配線をショートさせるように結晶成長することを意味し、このような結晶成長が起こりにくい材料、例えば、Ｐｄ、Ｐｔ等の貴金属あるいはその合金などを選択することが好ましい。しかし、接続端子９の構成材料はこれらに制限されるものではなく、広く一般に使用されている端子用の導電材料のいずれを選択しても良い。
【００２０】
前記アンダーコート層１１は、付加反応タイプのポリマーからなることが好ましく、ポリエチレン（ＰＥ）、ポリプロピレン（ＰＰ）、エチレンプロピレンターポリマー（ＥＰＤＭ）等のポリオレフィン系樹脂、ポリスチレン（ＰＳ）、ポリメチルメタアクリレート（ＰＭＭＡ）、ポリ塩化ビニル（ＰＶＣ）、エチレン酢酸ビニル（ＥＶＡ）、エチレンエチルアクリレート（ＥＡＡ）、エチレンアクリル酸、エチレンメタクリル酸、アイオノマー、エチレンビニルアルコール、ポリアクリロニトリル、などの熱可塑性樹脂を選択して使用できる。
また、他の付加反応タイプのポリマーの例として熱硬化型の高分子樹脂、例えば、エポキシ樹脂、不飽和ポリエステル樹脂、ビニルエステル樹脂、ジアリルフタレート樹脂等を選択して利用できる。
【００２１】
これらの樹脂の中でもスクリーン印刷法を用いて基板本体７上に塗布形成が容易であって、塗布精度を確保し易く、加水分解し難いエポキシ樹脂がアンダーコート層１１の構成材料として好ましい。エポキシ樹脂は、ビスフェノールＡ型などのエポキシ主剤に硬化剤を添加して架橋してなるもので、反応性の官能基を２個以上有している第１アミン（ＲＮＨ３）、第２アミン（Ｒ２ＮＨ）、ジカルボン酸およびその無水物等を硬化剤として使用することができる。
スクリーン印刷法で基板本体７上にこれらの樹脂を塗布する場合、塗布状態の膜の形成精度が良好になるためには樹脂が印刷に適した粘度を有すること、膜としての厚さを確保できることなどに鑑み、それらのためには樹脂の分子量を数１００〜数１０万程度にすることが好ましい。この点において熱硬化型の高分子樹脂である方が、架橋前の塗布の段階では溶剤等に溶解させて塗り易く、加熱により架橋して分子量を増加させて丈夫な塗膜とできる面で有利と考えられる。
以上のような背景と、更に、可撓性を有する基板本体７に架橋後の塗膜が追従して変形できることに鑑み、前記アンダーコート層１１の膜厚を１〜１５μｍ程度の範囲とすることが必要であると考えられる。
【００２２】
前述の如くこの実施形態の構造においては、複数の接続端子９・・・と基板本体７との間に加水分解し難いアンダーコート層１１を設けているので、複数の接続端子９・・・とその周囲に水分が存在して接続端子９・・・に通電して使用した状態で水の電気分解により水酸基を生じて仮に強いアルカリ環境下になっても、接続端子９・・・の下地になっているアンダーコート層１１が分解されたり溶解されることが無くなるので、接続端子９・・・が基板本体７から分離したり剥離することがない。
従ってこの実施形態の構造を備えたスイッチ装置Ａや電気機器Ｂであるならば、高温高湿の環境下で長時間通電したまま使用しても、接続端子９・・・の基板本体７からの剥離や分離を起こすことが無く、配線接続部分の接続不良を起こさないスイッチ装置Ａや電気機器Ｂを提供することができる。
【００２３】
ところで、この実施形態では配線８の先端部側に配線８の構成材料とは異なる材料からなる接続端子９を設けたが、図３と図４に示す構造のように配線１５をそのまま基板本体（基材本体）１６の先端部１６ａ側まで延長して形成し、配線１５の先端部１５ａを接続端子１７として利用しても良いのは勿論である。
この構造では勿論、配線１５の先端部１５ａの下地としてアンダーコート層１１を設けることにする。
図４と図５に示す構造では、配線１５を保護層１０から部分的に露出させた構造であり、このような構造においても配線１５の周囲部分での基板本体１６からの剥離現象や分離現象を抑制できる。
【００２４】
また、先の実施形態では配線８の全てをレジストなどの耐水性材料からなる保護層１０で覆った構造としたが、配線８を保護層１０で覆っていない構造を採用することもできる。その場合に保護層１０で覆っていない配線８の周囲部分ではその下地側の基板本体７の表面部分において加水分解を引き起こす可能性があるので、配線８の形成部分の下地側の全ての部分にアンダーコート層１１を形成しておくことが好ましい。
次に、本発明を適用できるのは可撓性配線基板（フレキシブル配線基板）に限らず、脱水重合によって製造されるリジッドな厚い基板にも適用可能であり、あるいは、板状ではない他の形状であって、配線が施される基材一般に広く適用できるのは勿論である。
【００２５】
図６はセンサ（電気機器）２０に接続させて設けられた本発明に係るフレキシブル配線基板２５を示すもので、図７は携帯電話用のメンブレンスイッチ（スイッチ装置）３０に接続させて設けられた本発明に係るフレキシブル配線基板２６を示す。これらのフレキシブル配線基板２５、２６は先の実施形態のフレキシブル配線基板２と同等の構造であり、外形のみが異なるものである。
これらの例に示す如くいずれの電気機器やスイッチ装置でも本発明に係るフレキシブル配線基板２５、２６を適用できるのは勿論であり、本願明細書で説明した以外の種々のスイッチ装置や電気機器用に本発明を広く適用することができるのは勿論である。
【００２６】
【実施例】
ＰＥＴ（ポリエチレンテレフタレート）製の厚さ０．０７ｍｍのフレキシブル基板を用い、このフレキシブル基板上にスクリーン印刷法により銀ペーストを塗布して１５０℃に加熱し、厚さ１０μｍ、幅０．３５ｍｍの複数の配線を焼成し、フレキシブル基板端部に位置する各配線の先端部側に、厚さ１０μｍのエポキシ樹脂層を形成し、その上にＰｄからなる長さ４ｍｍ、厚さ０．０１ｍｍの接続端子を先の配線に接続するように０．５ｍｍピッチで形成してなる構成のフレキシブルプリント基板を複数製造した。
【００２７】
次にこれらフレキシブルプリント基板の接続端子部分を除く部分に塩化ビニル樹脂のレジスト材料からなる保護層を塗布してフレキシブルプリント基板試料を５０個製造した。
これらのフレキシブルプリント板試料の接続端子を電源に接続されたコネクタに挿入して各配線に３．２Ｖ通電した状態で温度６０℃、湿度９０％の条件の環境試験装置に収容し、１０００時間耐環境加速試験を実施した。
また、比較のために、先のエポキシ樹脂層の形成を略し、その他の部分は同等としたフレキシブルプリント基板試料を複数作成し、同等の耐環境加速試験に供した。
この試験の結果、エポキシ樹脂のアンダーコート層を有する５０個の試料は１０００時間経過後も通電性能に全く変化はなく、接触抵抗値の上昇も見られなかった。これらの試料に対してアンダーコート層を略した比較試料にあっては、２５０時間経過後までは変化が見られなかったが、２５０〜５００時間経過する間に１０％の試料に接触抵抗変化が見られ、５００時間経過後に６０％の試料において通電不良を生じた。
以上の試験結果から、本発明に係る構造を採用することで、高温高湿環境下において露出される接続端子部分において長時間通電使用してアルカリ環境下に長時間暴露しても接触抵抗の変化がなく、通電状態も変化しない構造を提供できることが明らかになった。
【００２８】
【発明の効果】
以上詳述したように本発明によれば、脱水縮合によって合成された高分子樹脂からなる基材本体の少なくとも一部に配線の一部または接続端子が露出状態で形成された構造において、少なくとも露出状態の配線または接続端子部分の下地として付加重合タイプのアンダーコート層を形成したので、高温高湿の環境下において長時間通電した場合、負極側で水の電気分解により水酸基が発生し、露出された配線または接続端子がアルカリ環境とされた場合であっても、付加重合されたタイプのアンダーコート層で基材本体を保護しているので、基材本体が部分的に加水分解されることはなく、露出した配線や接続端子は基材本体から剥離されたり分離されることがない。
従って、高温高湿の環境下で長時間使用しても通電不良や接触不良を起こすことがない配線基材ならびにスイッチ装置あるいは電気機器を提供できる。
【００２９】
本発明においてアンダーコート層を前記接続端子または配線の少なくとも負極側の端子または配線の形成部分に下地として形成することで、水の電気分解でアルカリ環境となり易い負極側の接続端子あるいは配線部分の基材本体からの剥離や分離を防止できる。
【図面の簡単な説明】
【図１】図１は本発明に係る第１実施形態の配線基材を備えたスイッチ装置の平面図である。
【図２】図２は先の配線基材の要部断面図である。
【図３】図３は先の配線基材を備えたスイッチ装置が設けられる電気機器の一例を示す斜視図である。
【図４】図４は本発明に係る第２実施形態の配線基材の斜視図である。
【図５】図５は同第２実施形態の配線基材の要部断面図である。
【図６】図６は本発明に係る第１実施形態の配線基材を備えたセンサの平面図である。
【図７】図７は本発明に係る第１実施形態の配線基材を備えたスイッチ装置の他の例を示す平面図である。
【符号の説明】
Ａ、３０・・・スイッチ装置、Ｂ・・・電気機器、１・・・スイッチ本体部、
２・・・フレキシブルプリント基板（可撓性の配線基材）、７、１６・・・基板本体（基材本体）、８、１５・・・配線、９、１７・・・接続端子、１０・・・保護層、
１１・・・アンダーコート層、２０・・・センサ（電気機器）。
【図１】
2004186473.tif 000003
【図２】
2004186473.tif 000004
【図３】
2004186473.tif 000005
【図４】
2004186473.tif 000006
【図５】
2004186473.tif 000007
【図６】
2004186473.tif 000008
【図７】
2004186473.tif 000009